(57)【要約】【課題】冷却装置における結露や霜の発生を抑制することを可能とする投写型映像表示装置を提供する。【解決手段】投写型映像表示装置１００は、空気の流路である空気流路と、空気流路を流れる空気を冷却する吸熱器とを有する冷却装置３００と、光学素子（液晶パネル５０など）に照射される光の光量を制御する光源制御部２２０とを備える。光学素子が、空気流路内に設けられている。吸熱器が、自装置の動作終了を指示する動作終了指示を受けた場合に、空気流路を流れる空気の冷却を終了する。光源が、動作終了指示を受けた場合であっても、光の出射を継続する。【選択図】図４
2009300947.tif 000002
【特許請求の範囲】
【請求項１】
光源と、前記光源から出射される光が照射される光学素子と、前記光学素子から出射された光を投写する投写光学系とを有する投写型映像表示装置であって、
空気の流路である空気流路と、前記空気流路を流れる空気を冷却する冷却部とを有する冷却装置を備え、
前記光学素子は、前記空気流路内に設けられており、
前記冷却部は、自装置の動作終了を指示する動作終了指示を受けた場合に、前記空気流路を流れる空気の冷却を終了し、
前記光源は、前記動作終了指示を受けた場合であっても、光の出射を継続することを特徴とする投写型映像表示装置。
【請求項２】
前記光学素子を制御する光学素子制御部をさらに備え、
前記光学素子は、液晶パネルと、前記液晶パネルの光入射面側に設けられた入射側偏光板と、前記液晶パネルの光出射面側に設けられた出射側偏光板とによって構成されており、
前記光学素子制御部は、前記動作終了指示を受けた場合に、前記光源から出射される光が前記出射側偏光板で遮光されるように前記液晶パネルを制御することを特徴とする請求項１に記載の投写型映像表示装置。
【請求項３】
前記光学素子を制御する光学素子制御部と、
前記光学素子の光出射側に設けられた遮光シャッタをさらに備え、
前記光学素子は、液晶パネルと、前記液晶パネルの光入射面側に設けられた入射側偏光板と、前記液晶パネルの光出射面側に設けられた出射側偏光板とによって構成されており、
前記光学素子制御部は、前記動作終了指示を受けた場合に、前記光源から出射される光が前記出射側偏光板を透過するように前記液晶パネルを制御し、
前記遮光シャッタは、前記動作終了指示を受けた場合に、前記光学素子から出射された光を遮光することを特徴とする請求項１に記載の投写型映像表示装置。
【請求項４】
前記遮光シャッタは、前記空気流路内に設けられていることを特徴とする請求項３に記載の投写型映像表示装置。
【請求項５】
前記光学素子に照射される光の光量を制御する光量制御部をさらに備え、
前記光学素子に照射される光の光量は、通常動作状態において所定光量に定められており、
前記光量制御部は、前記動作終了指示を受けた場合に、前記所定光量よりも小さい光量の光が前記光学素子に照射されるように制御することを特徴とする請求項２又は請求項３に記載の投写型映像表示装置。
【請求項６】
前記光源は、複数の光源によって構成されており、
前記光量制御部は、前記動作終了指示を受けた場合に、前記複数の光源のうち、一部分の光源から出射された光のみが前記光学素子に照射されるように制御することを特徴とする請求項５に記載の投写型映像表示装置。
【請求項７】
前記冷却装置は、前記空気流路内において空気を循環させる循環部を有しており、
前記循環部は、前記動作終了指示を受けた場合であっても、前記空気流路内の空気を循環させることを特徴とする請求項１に記載の投写型映像表示装置。
【請求項８】
前記光量制御部は、前記光源に供給される電力を制御することによって、前記光学素子に照射される光の光量を制御することを特徴とする請求項５に記載の投写型映像表示装置。
【請求項９】
前記光量制御部は、前記動作終了指示を受けてから所定時間が経過するまで、前記所定光量よりも小さい光量の光が前記光学素子に照射されるように制御することを特徴とする請求項５に記載の投写型映像表示装置。
【請求項１０】
前記冷却装置は、前記空気流路内の温度を検出する温度センサを有しており、
前記光量制御部は、前記動作終了指示を受けてから前記温度センサによって検出された温度が所定温度に上昇するまで、前記所定光量よりも小さい光量の光が前記光学素子に照射されるように制御することを特徴とする請求項５に記載の投写型映像表示装置。
【請求項１１】
前記冷却装置は、前記冷却部の温度を検出する温度センサを有しており、
前記光量制御部は、前記動作終了指示を受けてから前記温度センサによって検出された温度が所定温度に上昇するまで、前記所定光量よりも小さい光量の光が前記光学素子に照射されるように制御することを特徴とする請求項５に記載の投写型映像表示装置。
【請求項１２】
前記光源と前記光学素子との間に設けられており、遮光部材によって構成された光量絞り部をさらに備え、
前記光量制御部は、前記光量絞り部を制御することによって、前記光学素子に照射される光の光量を制御することを特徴とする請求項５に記載の投写型映像表示装置。
【発明の詳細な説明】
【技術分野】
【０００１】
本発明は、光源と、光源から出射される光が照射される光学素子と、光学素子から出射された光を投写する投写光学系とを有する投写型映像表示装置に関する。
【背景技術】
【０００２】
従来、光源と、光源から出射された光を変調する光学素子と、光学素子から出射された光を投写する投写光学系とを有する投写型映像表示装置が知られている。光学素子は、透過型液晶パネル、反射型液晶パネル、ＤＭＤ（Ｄｉｇｉｔａｌ  Ｍｉｃｒｏｍｉｒｒｏｒ  Ｄｅｖｉｃｅ）などである。
【０００３】
上述した投写型映像表示装置では、光源から出射された光が光学素子に照射される。すなわち、光源から出射された光によって光学素子が加熱される。
【０００４】
従って、一般的には、投写型映像表示装置には、光学素子などの冷却対象を冷却する冷却装置が設けられる。光学素子などの冷却対象は、光源から出射される光の光路上に設けられている。従って、冷却装置としては、光源から出射される光を妨げないように、空冷式の冷却装置を用いることが好ましい。なお、液冷式の冷却装置などを用いることは好ましくないことに留意すべきである。
【０００５】
例えば、空冷式の冷却装置は、空気ダクト（空気流路）を流れる空気を冷却する冷却部を備える。冷却部としては、例えば、ペルチェ素子が用いられる。光学素子は、空気流路上に設けられる。光学素子は、空気流路を流れる空気（冷気）によって冷却される（例えば、特許文献１）。
【特許文献１】特開２００５−１２１２５０公報
【発明の開示】
【発明が解決しようとする課題】
【０００６】
ところで、一般的には、投写型映像表示装置の電源が切られた場合、空気流路を流れる空気の冷却を冷却部の駆動が終了するタイミングは、光の出射を光源の駆動が終了するタイミングと同じである。
【０００７】
ここで、光源が光の出射を終了すると、光源からの光が光学素子に照射されなくなるため、光源１０から出射された光による光学素子の加熱が終了する。一方で、空気流路内を流れる空気が常温（例えば、室温）に戻るまでには、光源が光の出射が終了して、光学素子の加熱が終了する時間よりも長いため、一定の時間が必要である。
【０００８】
つまり、空気流路内を流れる空気の温度（以下、冷気温度）は、外気の温度に対して低い状態となる時間が発生する。これにより、光学素子の加熱が終了すると、冷却時に近い冷却能力を持った冷却風が光学素子に導かれることとなる。従って、冷気温度により光学素子の素子温度が急激に低下してしまい、素子温度が露点温度を下回って、光学素子に結露が発生する可能性がある。
【０００９】
ここで、空気流路内は略密閉状態を保つことが好ましいが、空気流路内にはいくらかは外気が入り込んでしまう可能性がある。このため、素子温度が露点温度を下回ってしまうと、空気流路内に入り込んだ外気が光学素子に触れ、光学素子に結露が発生してしまう。なお、素子温度が０度を下回ってしまうと、光学素子に霜が発生することも考えられる。
【００１０】
そこで、本発明は、上述した課題を解決するためになされたものであり、光学素子における結露や霜の発生を抑制することを可能とする投写型映像表示装置を提供することを目的とする。
【課題を解決するための手段】
【００１１】
上述した課題を解決するため、本発明は、次のような特徴を有している。まず、本発明の一の特徴に係る投写型映像表示装置（投写型映像表示装置１００）は、光源（光源１０）と、光源から出射される光が照射される光学素子（液晶パネル５０、補償板５１、入射側偏光板５２、入射側プリ偏光板５３、出射側プリ偏光板５４及び出射側偏光板５５）と、光学素子から出射された光を投写する投写光学系（投写レンズユニット１６０）とを有する。投写型映像表示装置は、空気の流路である空気流路（空気流路３１０）と、空気流路を流れる空気を冷却する冷却部（吸熱器３２０）とを有する冷却装置（冷却装置３００）を備える。光学素子は、空気流路内に設けられている。冷却部は、自装置の動作終了を指示する動作終了指示を受けた場合に、空気流路を流れる空気の冷却を終了する。光源は、動作終了指示を受けた場合であっても、光の出射を継続する。
【００１２】
かかる特徴によれば、冷却装置（冷却部）は、動作終了指示を受けた場合に、空気流路内を流れる空気の冷却を終了する。一方で、光源は、動作終了指示を受けた場合であっても、光の出射を継続する。これによれば、光源からの光により光学素子が加熱されるため、冷却対象の光学素子に当たる冷気温度が常温（例えば、室温）に戻るまでの時間が短縮するとともに、光学素子の素子温度の急激な低下が緩和される。従って、素子温度が露点温度を下回ることなく、光学素子に結露や霜の発生を抑制することが可能となる。
【００１３】
本発明の一の特徴において、投写型映像表示装置は、光学素子を制御する光学素子制御部（映像制御部２４０）をさらに備える。光学素子は、液晶パネルと、液晶パネルの光入射面側に設けられた入射側偏光板（入射側偏光板５２）と、液晶パネルの光出射面側に設けられた出射側偏光板（出射側偏光板５５）とによって構成されている。光学素子制御部は、動作終了指示を受けた場合に、光源から出射される光が出射側偏光板で遮光されるように液晶パネルを制御する。
【００１４】
本発明の一の特徴において、投写型映像表示装置は、光学素子を制御する光学素子制御部と、光学素子の光出射側に設けられた遮光シャッタ（遮光シャッタ８０）をさらに備える。光学素子は、液晶パネルと、液晶パネルの光入射面側に設けられた入射側偏光板と、液晶パネルの光出射面側に設けられた出射側偏光板とによって構成されている。光学素子制御部は、動作終了指示を受けた場合に、光源から出射される光が出射側偏光板を透過するように液晶パネルを制御する。遮光シャッタは、動作終了指示を受けた場合に、光学素子から出射された光を遮光する。
【００１５】
本発明の一の特徴において、遮光シャッタは、空気流路内に設けられている。
【００１６】
本発明の一の特徴において、投写型映像表示装置は、光学素子に照射される光の光量を制御する光量制御部（光源制御部２２０）をさらに備える。光学素子に照射される光の光量は、通常動作状態において所定光量に定められている。光量制御部は、動作終了指示を受けた場合に、所定光量よりも小さい光量の光が光学素子に照射されるように制御する。
【００１７】
本発明の一の特徴において、光源は、複数の光源によって構成されている。光量制御部は、動作終了指示を受けた場合に、複数の光源のうち、一部分の光源から出射された光のみが光学素子に照射されるように制御する。
【００１８】
本発明の一の特徴において、冷却装置は、空気流路内において空気を循環させる循環部（循環ファン３７０）を有している。循環部は、動作終了指示を受けた場合であっても、空気流路内の空気を循環させる。
【００１９】
本発明の一の特徴において、光量制御部は、光源に供給される電力を制御することによって、光学素子に照射される光の光量を制御する。
【００２０】
本発明の一の特徴において、光量制御部は、動作終了指示を受けてから所定時間が経過するまで、所定光量よりも小さい光量の光が光学素子に照射されるように制御する。
【００２１】
本発明の一の特徴において、冷却装置は、空気流路内の温度を検出する温度センサ（温度センサ３８１）を有している。光量制御部は、動作終了指示を受けてから温度センサによって検出された温度が所定温度に上昇するまで、所定光量よりも小さい光量の光が光学素子に照射されるように制御する。
【００２２】
本発明の一の特徴において、冷却装置は、冷却部の温度を検出する温度センサ（温度センサ３８２）を有している。光量制御部は、動作終了指示を受けてから温度センサによって検出された温度が所定温度に上昇するまで、所定光量よりも小さい光量の光が光学素子に照射されるように制御する。
【００２３】
本発明の一の特徴において、投写型映像表示装置は、光源と光学素子との間に設けられており、遮光部材によって構成された光量絞り部（光量絞り部７０）をさらに備える。光量制御部は、光量絞り部を制御することによって、光学素子に照射される光の光量を制御する。
【発明の効果】
【００２４】
本発明によれば、冷却装置における結露や霜の発生を抑制することを可能とする投写型映像表示装置を提供することができる。
【発明を実施するための最良の形態】
【００２５】
以下において、本発明の実施形態に係る投写型映像表示装置について、図面を参照しながら説明する。なお、以下の図面の記載において、同一又は類似の部分には、同一又は類似の符号を付している。
【００２６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２７】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す図である。
【００２８】
図１に示すように、投写型映像表示装置１００は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ、液晶パネル５０Ｂ）と、クロスダイクロイックプリズム６０とを有する。
【００２９】
光源１０は、白色光を発するＵＨＰランプなどである。光源１０が発する光は、赤成分光、緑成分光及び青成分光を含む。
【００３０】
ＵＶ／ＩＲカットフィルタ２０は、可視光成分（赤成分光、緑成分光及び青成分光）を透過する。一方、ＵＶ／ＩＲカットフィルタ２０は、視外光成分（例えば、赤外成分や紫外成分）を遮光する。
【００３１】
フライアイレンズユニット３０は、光源１０が発する光を均一化する。具体的には、フライアイレンズユニット３０は、フライアイレンズ３０ａ及びフライアイレンズ３０ｂによって構成される。
【００３２】
フライアイレンズ３０ａ及びフライアイレンズ３０ｂは、それぞれ、複数の微小レンズによって構成される。各微小レンズは、光源１０が発する光が液晶パネル５０の全面に照射されるように、光源１０が発する光を集光する。
【００３３】
ＰＢＳアレイ４０は、フライアイレンズユニット３０から出射された光の偏光状態を揃える。例えば、ＰＢＳアレイ４０は、フライアイレンズユニット３０から出射された光をＰ偏光に揃える。
【００３４】
液晶パネル５０Ｒは、赤成分光の偏光方向を回転させることによって赤成分光を変調する。液晶パネル５０Ｒの光入射面側には、コントラスト比や透過率を向上させる補償板５１Ｒが設けられている。
【００３５】
補償板５１Ｒの光入射面側には、一の偏光方向（例えば、Ｐ偏光）を有する光を透過して、他の偏光方向（例えば、Ｓ偏光）を有する光を遮光する入射側偏光板５２Ｒが設けられている。入射側偏光板５２Ｒの光入射面側には、入射側偏光板５２Ｒに入射させたくない光を吸収して、当該光を入射側偏光板５２Ｒに照射させないことにより、信頼性、寿命及びコントラストを向上させる入射側プリ偏光板５３Ｒが設けられている。
【００３６】
一方、液晶パネル５０Ｒの光出射面側には、後述する出射側偏光板５５Ｒに入射させたくない光を吸収して、当該光を入射側偏光板５２Ｒに照射させないことにより、信頼性、寿命及びコントラストを向上させる出射側プリ偏光板５４Ｒが設けられている。出射側プリ偏光板５４Ｒの光出射面側には、一の偏光方向（例えば、Ｐ偏光）を有する光を遮光して、他の偏光方向（例えば、Ｓ偏光）を有する光を透過する出射側偏光板５５Ｒが設けられている。
【００３７】
同様に、液晶パネル５０Ｇは、緑成分光の偏光方向を回転させることによって緑成分光を変調する。液晶パネル５０Ｇの光入射面側には、補償板５１Ｇ、入射側偏光板５２Ｇ及び入射側プリ偏光板５３Ｇが設けられている。一方、液晶パネル５０Ｇの光出射面側には、出射側プリ偏光板５４Ｇ及び出射側偏光板５５Ｇが設けられている。
【００３８】
同様に、液晶パネル５０Ｂは、青成分光の偏光方向を回転させることによって青成分光を変調する。液晶パネル５０Ｂの光入射面側には、補償板５１Ｂ、入射側偏光板５２Ｂ及び入射側プリ偏光板５３Ｂが設けられている。一方、液晶パネル５０Ｂの光出射面側には、出射側プリ偏光板５４Ｂ及び出射側偏光板５５Ｂが設けられている。
【００３９】
クロスダイクロイックプリズム６０は、液晶パネル５０Ｒ、液晶パネル５０Ｇ及び液晶パネル５０Ｂから出射された光を合成する。クロスダイクロイックプリズム６０は、投写レンズユニット１６０側に合成光を出射する。
【００４０】
また、投写型映像表示装置１００は、ミラー群（ダイクロイックミラー１１１、ダイクロイックミラー１１２、反射ミラー１２１〜反射ミラー１２３）と、レンズ群（コンデンサレンズ１３１〜コンデンサレンズ１３３、コンデンサレンズ１４０Ｒ、コンデンサレンズ１４０Ｇ、コンデンサレンズ１４０Ｂ、リレーレンズ１５１〜リレーレンズ１５３）とを有する。
【００４１】
ダイクロイックミラー１１１は、ＰＢＳアレイ４０から出射された光のうち、赤成分光を透過する。ダイクロイックミラー１１１は、ＰＢＳアレイ４０から出射された光のうち、緑成分光及び青成分光を反射する。
【００４２】
ダイクロイックミラー１１２は、ダイクロイックミラー１１１で反射された光のうち、青成分光を透過する。ダイクロイックミラー１１２は、ダイクロイックミラー１１１で反射された光のうち、緑成分光を反射する。
【００４３】
反射ミラー１２１は、赤成分光を反射して赤成分光を液晶パネル５０Ｒ側に導く。反射ミラー１２２及び反射ミラー１２３は、青成分光を反射して青成分光を液晶パネル５０Ｂ側に導く。
【００４４】
コンデンサレンズ１３１は、光源１０が発する白色光を集光するレンズである。コンデンサレンズ１３２は、ダイクロイックミラー１１１を透過した赤成分光を集光する。コンデンサレンズ１３３は、ダイクロイックミラー１１１で反射された緑成分光及び青成分光を集光する。
【００４５】
コンデンサレンズ１４０Ｒは、液晶パネル５０Ｒに赤成分光が照射されるように、赤成分光を略平行光化する。コンデンサレンズ１４０Ｇは、液晶パネル５０Ｇに緑成分光が照射されるように、緑成分光を略平行光化する。コンデンサレンズ１４０Ｂは、液晶パネル５０Ｂに青成分光が照射されるように、青成分光を略平行光化する。コンデンサレンズの光出射面側には、紫外成分を遮光するＵＶカットフィルタ２１が設けられる。
【００４６】
リレーレンズ１５１〜リレーレンズ１５３は、青成分光の拡大を抑制しながら、液晶パネル５０Ｂ上に青成分光を略結像する。
【００４７】
さらに、投写型映像表示装置１００は、投写レンズユニット１６０を有する。投写レンズユニット１６０は、クロスダイクロイックプリズム６０から出射された合成光（映像光）をスクリーン上などに投写する。
【００４８】
ここで、投写型映像表示装置１００は、投写型映像表示装置１００を構成する光学素子を冷却する冷却装置３００を有する。冷却装置３００は、液晶パネル５０、補償板５１、入射側偏光板５２、入射側プリ偏光板５３、出射側プリ偏光板５４及び出射側偏光板５５などの光学素子を冷却する。
【００４９】
具体的には、冷却装置３００は、空気の流路である空気流路を有している。冷却装置３００は、空気流路内で空気を循環させる。すなわち、冷却装置３００は、空気流路内を流れる空気を冷却する。なお、冷却装置３００の詳細については後述する（図２を参照）。
【００５０】
（冷却装置の構成）
以下において、第１実施形態に係る冷却装置の構成について、図面を参照しながら説明する。図２は、第１実施形態に係る冷却装置３００を示す図である。なお、図２は、図１に示すＡ方向から投写型映像表示装置１００を見た図である。
【００５１】
図２に示すように、冷却装置３００は、空気流路３１０と、吸熱器３２０と、圧縮機３３０と、放熱器３４０と、減圧器３５０と、冷媒流路３６０と、循環ファン３７０とを有する。なお、空気流路３１０は、断熱材によって構成され、略密閉状態に保たれる。
【００５２】
ここでは、冷媒流路３６０内を循環する冷媒としてＣＯ２冷媒を例に挙げて説明する。また、図３を参照しながら、冷媒の循環について説明する。図３において、縦軸は、ＣＯ２冷媒に対する圧力（Ｐ）であり、横軸は、ＣＯ２冷媒のエンタルピー（ｈ）である。等温線は、温度が一定となる圧力（Ｐ）及びエンタルピー（ｈ）の組み合わせを示す線である。飽和液線は、過冷却液と湿り蒸気との境界を示す線であり、飽和蒸気線は、湿り蒸気と過熱蒸気との境界を示す線である。臨界点は、飽和液線と飽和蒸気線との境目である。
【００５３】
空気流路３１０は、空気の流路である。空気流路３１０内には、冷却対象の光学素子（液晶パネル５０、補償板５１、入射側偏光板５２、入射側プリ偏光板５３、出射側プリ偏光板５４及び出射側偏光板５５など）が設けられる。
【００５４】
吸熱器３２０は、冷媒流路３６０内を循環する冷媒によって、空気流路３１０内を流れる空気を冷却する冷却部である。すなわち、吸熱器３２０では、空気流路３１０内を流れる空気の熱をＣＯ２冷媒が吸熱する。図３では、工程（１）に示すように、ＣＯ２冷媒による吸熱によって、圧力（Ｐ）が一定のまま、エンタルピー（ｈ）が増大する。
【００５５】
圧縮機３３０は、吸熱器３２０において蒸発した冷媒を圧縮する。図３では、工程（２）に示すように、圧力（Ｐ）の増大によって、ＣＯ２冷媒の過熱度が増大する。
【００５６】
放熱器３４０は、圧縮機３３０によって圧縮された冷媒の熱を放熱する。図３では、工程（３）に示すように、ＣＯ２冷媒の冷却によって、圧力（Ｐ）が一定のまま、エンタルピー（ｈ）が減少する。これによって、ＣＯ２冷媒は、過冷却液に遷移する。
【００５７】
減圧器３５０は、放熱器３４０によって放熱された冷媒を減圧する。図３では、工程（４）に示すように、エンタルピー（ｈ）が一定のまま、圧力（Ｐ）が減少する。これによって、ＣＯ２冷媒は、湿り蒸気に遷移する。
【００５８】
なお、図３は、投写型映像表示装置１００の使用環境温度が比較的低温であるケースを例示している。投写型映像表示装置１００の使用環境温度が比較的高温になるケースでは、放熱器３４０で放熱される工程（３）の圧力が臨界圧力以上となる超臨界サイクルとなる。
【００５９】
冷媒流路３６０は、冷媒の流路である。具体的には、冷媒流路３６０は、吸熱器３２０、圧縮機３３０、放熱器３４０及び減圧器３５０を通る環状の流路である。
【００６０】
循環ファン３７０は、空気流路３１０内において空気を循環させるファンである。具体的には、循環ファン３７０は、吸熱器３２０によって冷却された空気を光学素子側に送り出す。
【００６１】
なお、冷却装置３００は、温度センサ３８１又は温度センサ３８２を有していてもよい。温度センサ３８１は、空気流路３１０内を流れる空気の温度を検出する。温度センサ３８２は、吸熱器３２０（冷却部）の温度を検出する。
【００６２】
空気流路３１０内を流れる空気の温度を検出する温度センサ３８１の位置は、空気流路３１０内のどの位置であってもよい。温度センサ３８１の位置は、吸熱器３２０や光学素子を通過する空気の流れの開始地点から遠い位置である方が好ましい。吸熱器３２０や光学素子では、これらを通過する空気温度が大きく変化するため、これらの開始地点では、空気温度のムラが大きく、これらの出口に温度センサ３８１を配置すると、平均的な空気温度を検出することが難しい。
【００６３】
一方で、吸熱器３２０や光学素子を通過する空気の流れの終了地点に温度センサ３８１を配置すると、空気温度が均一化して、平均的な空気温度を検出することが容易である。図２では、吸熱器３２０に空気が吸い込まれる側に温度センサ３８１が配置されているが、光学素子に空気が吸い込まれる側に温度センサ３８１が配置されても勿論よい。
【００６４】
また、吸熱器３２０（冷却部）の温度を検出する温度センサ３８２の位置は、吸熱器３２０内の冷媒流路のうち、冷媒流路の中間部分以降の位置であることが好ましい。吸熱器３２０内の冷媒流路のうち、冷媒流路の入り口の温度は、空気流路３１０内の空気温度と関連性が小さい場合がある。従って、冷媒流路の入り口は、空気流路３１０内の空気温度を温度センサ３８２が間接的に検出する位置としては好ましくない。
【００６５】
一方で、冷媒流路の中間部分以降の温度は、空気流路３１０内の空気温度と関連性が比較的大きい。従って、冷媒流路の中間部分以降の位置は、空気流路３１０内の空気温度を温度センサ３８２が間接的に検出する位置として好ましい。
【００６６】
（制御ユニットの構成）
以下において、第１実施形態に係る制御ユニットの構成について、図面を参照しながら説明する。図４は、第１実施形態に係る制御ユニット２００を示すブロック図である。
【００６７】
第１実施形態では、液晶パネル５０（すなわち、入射側偏光板５２）に照射される光の光量は、通常動作状態において所定光量に定められていることに留意すべきである。通常動作状態は、投写型映像表示装置１００の動作が安定した状態において、投写型映像表示装置１００が映像光を投写する状態である。
【００６８】
図４に示すように、制御ユニット２００は、操作受付部２１０と、光源制御部２２０（光量制御部）と、冷却制御部２３０と、映像制御部２４０（光学素子制御部）とを有する。
【００６９】
操作受付部２１０は、操作Ｉ／Ｆ（不図示）などから、操作指示を受け付ける。操作指示は、例えば、投写型映像表示装置１００の動作開始を指示する動作開始指示や、投写型映像表示装置１００の動作終了を指示する動作終了指示などである。動作開始指示は、例えば、投写型映像表示装置１００の電源投入指示や映像の表示開始指示などである。動作終了指示は、例えば、電源切断指示や映像の表示終了指示などである。
【００７０】
光源制御部２２０は、光源１０を制御する。具体的には、光源制御部２２０は、光源１０に供給される電力を制御する。光源制御部２２０は、光源１０に供給される電力の絶対量を制御してもよい。光源制御部２２０は、光源１０に供給される電力をパルスによって制御してもよい。
【００７１】
ここで、光源制御部２２０は、動作開始指示を受けた場合に、光源１０から光を出射させる。光源制御部２２０は、動作開始指示を受けた場合に、所定光量よりも小さい光量の光が液晶パネル５０（すなわち、入射側偏光板５２など）に照射されるように、光源１０に供給される電力を制御する。
【００７２】
具体的には、光源制御部２２０は、動作開始指示を受けた場合に、所定電力よりも小さい電力を光源１０に供給するように、光源１０に供給される電力を制御する。なお、所定電力は、液晶パネル５０（すなわち、入射側偏光板５２など）に所定光量の光を照射するために必要な電力である。光源１０に供給される電力の制御方法としては、例えば、光源１０に供給される電力を所定電力の半分に制御する方法、光源１０に供給される電力を“０”に制御する方法などが考えられる。
【００７３】
以下においては、動作開始指示を受けた場合に、液晶パネル５０（すなわち、入射側偏光板５２）に照射される光量を所望光量よりも低減させる期間を“光量低減期間”と称する。光量低減期間は、（Ａ１）動作開始指示を受けてから所定時間が経過するまでの期間、（Ａ２）動作開始指示を受けてから、温度センサ３８１によって検出された温度（空気流路３１０内を流れる空気の温度）が所定温度を下回るまでの期間、（Ａ３）動作開始指示を受けてから、温度センサ３８２によって検出された温度（吸熱器３２０の温度）が所定温度を下回るまでの期間などである。
【００７４】
一方、光源制御部２２０は、動作終了指示を受けた場合であっても、光源１０から光を出射させる。すなわち、光源１０は、動作終了指示を受けた場合であっても、光の出射を継続する。光源制御部２２０は、動作終了指示を受けた場合に、所定光量よりも小さい光量の光が液晶パネル５０（すなわち、入射側偏光板５２など）に照射されるように、光源１０に供給される電力を制御する。
【００７５】
具体的には、光源制御部２２０は、動作終了指示を受けた場合に、所定光量よりも小さい光量の光が冷却対象の光学素子（液晶パネル５０や入射側偏光板５２など）に照射されるように、光源１０に供給される電力を制御する。
【００７６】
以下においては、動作終了指示を受けた場合に、冷却対象の光学素子に対する光の照射を継続する期間を“照射継続期間”と称する。照射継続期間は、（Ｂ１）動作終了指示を受けてから所定時間が経過するまでの期間、（Ｂ２）動作終了指示を受けてから、温度センサ３８１によって検出された温度（空気流路３１０内を流れる空気の温度）が所定温度に上昇するまでの期間、（Ｂ３）動作終了指示を受けてから、温度センサ３８２によって検出された温度（吸熱器３２０の温度）が所定温度に上昇するまでの期間などである。
【００７７】
冷却制御部２３０は、冷却装置３００を制御する。ここでは、冷却制御部２３０は、動作開始指示を受けた場合に、冷却装置３００の動作を直ちに開始させる。すなわち、動作開始指示を受けた場合に、冷却装置３００は、空気流路３１０内を流れる空気の冷却を直ちに開始する。
【００７８】
一方、冷却制御部２３０は、動作終了指示を受けた場合に、冷却装置３００の動作を直ちに終了させる。すなわち、動作終了指示を受けた場合に、冷却装置３００は、空気流路３１０内を流れる空気の冷却を直ちに終了する。
【００７９】
但し、冷却制御部２３０は、冷却装置３００のうち、吸熱器３２０、圧縮機３３０、放熱器３４０及び減圧器３５０の動作を終了させた場合であっても、循環ファン３７０の動作を継続させる。
【００８０】
具体的には、冷却制御部２３０は、冷却装置３００の動作を終了しても、循環ファン３７０を制御して、空気流路３１０内を流れる空気を循環させる。なお、冷却制御部２３０は、照射継続期間が終了した後に、循環ファン３７０の動作を停止させる。
【００８１】
映像制御部２４０は、動作開始指示に応じて、液晶パネル５０を制御する。例えば、映像制御部２４０は、ＤＶＤ再生装置や内蔵メモリに格納された映像データに基づいて、液晶パネル５０上に表示される映像を制御する。
【００８２】
ここで、映像制御部２４０は、光量低減期間において、光源１０から出射された光の全てが出射側偏光板５５を透過するように液晶パネル５０を制御する。すなわち、映像制御部２４０は、スクリーン上に白映像が表示されるように液晶パネル５０を制御する。
【００８３】
映像制御部２４０は、赤成分光、緑成分光及び青成分光のうち、特定の色成分光のみが出射側偏光板５５を透過するように液晶パネル５０を制御してもよい。例えば、映像制御部２４０は、他の色成分光に比べて光エネルギーが大きい青成分光のみが出射側偏光板５５Ｂを透過するように液晶パネル５０Ｂを制御する。
【００８４】
一方、映像制御部２４０は、動作終了指示に応じて、液晶パネル５０を制御する。映像制御部２４０は、照射継続期間において、光源１０から出射された光の全てが出射側偏光板５５で遮光するように液晶パネル５０を制御する。すなわち、映像制御部２４０は、スクリーン上に黒映像が表示されるように液晶パネル５０を制御する。
【００８５】
（光学素子の冷却開始）
以下において、第１実施形態に係る冷却対象の光学素子の冷却開始について、図面を参照しながら説明する。図５（ａ）及び図５（ｂ）は、第１実施形態に係る冷却対象の光学素子の冷却開始を説明するための図である。なお、冷却対象の光学素子は、上述したように、液晶パネル５０、補償板５１、入射側偏光板５２、入射側プリ偏光板５３、出射側プリ偏光板５４及び出射側偏光板５５である。
【００８６】
図５（ａ）において、縦軸は、冷却対象の光学素子などの温度を示しており、横軸は、動作開始指示から経過した時間を示している。温度ｔ０は、内部流路３１０外の外気の温度（例えば、室温）である。温度ｔ１は、冷却対象の光学素子に許容される動作温度の範囲（以下、許容温度範囲）の上限である。
【００８７】
図５（ｂ）において、縦軸は、光源１０に供給される電力を示しており、横軸は、動作開始指示から経過した時間を示している。電力Ｐ１は、液晶パネル５０（すなわち、入射側偏光板５２）に所定光量の光を照射するために必要な所定電力である。電力Ｐ２は、所定電力の半分の電力である。
【００８８】
ここで、図５（ａ）において、曲線ａは、冷却装置３００を動作させないケースを示している。曲線ｂ〜曲線ｄは、冷却装置３００を動作させるケースを示している。曲線ｂは、所定電力が光源１０に供給されるケースを示している。
【００８９】
曲線ｃは、動作開始指示を受けてから時間Ｘが経過するまで、所定電力の半分の電力が光源１０に供給されるケースを示している（図５（ｂ）における曲線ｃを参照）。曲線ｄは、動作開始指示を受けてから時間Ｘが経過するまで、電力が光源１０に供給されないケースを示している（図５（ｂ）における曲線ｄを参照）。
【００９０】
曲線ｅは、空気流路３１０内を流れる空気の温度を示している。すなわち、曲線ｅは、温度センサ３８１によって検出される温度を示している。曲線ｆは、吸熱器３２０の温度を示している。すなわち、曲線ｆは、温度センサ３８２によって検出される温度を示している。
【００９１】
曲線ａ〜曲線ｄに示すように、曲線ａ及び曲線ｂでは、冷却対象の光学素子の温度が許容温度範囲の上限（温度ｔ１）を超えてしまう。特に、曲線ｂでは、冷却装置３００を動作させているにもかかわらず、光学素子の温度が許容温度範囲の上限（温度ｔ１）を超えている。
【００９２】
これに対して、曲線ｃ及び曲線ｄでは、冷却対象の光学素子の温度が許容温度範囲の上限（温度ｔ１）を超えていない。
【００９３】
ここで、光量低減期間としては、上述した（Ａ１）〜（Ａ３）の期間が考えられる。光量低減期間における所定時間や所定温度は、図５（ａ）に示す温度変化を予め測定して、光学素子の温度が許容温度範囲の上限（温度ｔ１）を超えないように定められる。
【００９４】
具体的には、光量低減期間として（Ａ１）の期間を用いるケースでは、所定時間は時間Ｘである。光量低減期間として（Ａ２）の期間を用いるケースでは、所定温度は温度ｔ２である。光量低減期間として（Ａ３）の期間を用いるケースでは、所定温度は温度ｔ３である。
【００９５】
（光学素子の冷却終了）
以下において、第１実施形態に係る冷却対象の光学素子の冷却終了について、図面を参照しながら説明する。図６（ａ）及び図６（ｂ）は、第１実施形態に係る冷却対象の光学素子の冷却終了を説明するための図である。
【００９６】
図６（ａ）及び図６（ｂ）において、縦軸は、後述する冷気温度、温度上昇量及び素子温度などの温度を示しており、横軸は、動作終了指示から経過した時間を示している。温度ｔ０は、内部流路３１０外の外気の温度（例えば、室温）である。温度ｔ４は、外気の露点温度である。
【００９７】
ここで、図６（ａ）及び図６（ｂ）において、曲線ｇは、空気流路３１０内を流れる空気（冷気）の温度、具体的には、冷却対象の光学素子に当たる冷気温度を示している。曲線ｈは、光の照射により加熱される冷却対象の光学素子の温度上昇量を示している。曲線ｉは、冷却対象の光学素子の素子温度を示している。なお、冷気温度、温度上昇量及び素子温度は、冷却対象の光学素子に照射される光量によって変化することに留意すべきである。
【００９８】
図６（ａ）は、光源１０が動作終了指示と同時に光の出射が終了するケースを示している。図６（ａ）に示すように、冷却装置３００の動作が終了した場合（ＯＦＦ状態）には、光源１０からの光の出射が直ちに終了し、光学素子に照射される光量が急激に減少する。
【００９９】
光源１０からの光が光学素子に照射されなくなるため、光源１０から出射された光による光学素子の加熱が終了し、光学素子の温度上昇量が急激に減少する。そして、冷却装置３００の動作時（ＯＮ状態）において冷却されていた冷気温度が緩やかに上昇する。これにより、素子温度が急激に低下してしまう。従って、温度上昇量と冷気温度とのバランスが崩れてしまうため、素子温度が露点温度（温度ｔ４）を下回ってしまい、光学素子に結露が発生してしまう。
【０１００】
具体的には、空気流路３１０は、略密閉状態に保たれているが、空気流路３１０内には、いくらかは外気が入り込んでしまう。このため、素子温度が露点温度（温度ｔ４）を下回ってしまうと、空気流路３１０内に入り込んだ外気が光学素子に触れ、光学素子に結露が発生してしまう。なお、素子温度が０度を下回ってしまうと、光学素子に霜が発生することも考えられる。
【０１０１】
一方で、図６（ｂ）は、光源１０が動作終了指示を受けた場合であっても光の出射が継続されているケースを示している。図６（ｂ）に示すように、冷却装置３００の動作が終了した場合（ＯＦＦ状態）には、照射継続期間において、所定光量よりも小さい光量の光が光源１０から出射される。
【０１０２】
光源１０からの光が光学素子に照射されているため、光源か１０ら出射された光により光学素子が加熱されて、光学素子の温度上昇量が緩やかに減少する。そして、冷却装置３００の動作時（ＯＮ状態）において冷却されていた冷気温度が緩やかに上昇する。このとき、空気流路３１０内を流れる冷気温度が外気の温度に戻るまでの時間が短縮する。
【０１０３】
これにより、素子温度の急激な低下が緩和される。従って、温度上昇量と冷気温度とのバランスが崩れることないため、素子温度が露点温度（温度ｔ４）を下回ることなく、光学素子に結露や霜が発生してしまうことが抑制される。
【０１０４】
ここで、照射継続期間としては、上述した（Ｂ１）〜（Ｂ３）の期間が考えられる。照射継続期間における所定時間や所定温度は、図６（ｂ）に示す温度変化を予め測定して、素子温度が露点温度（温度ｔ４）を下回らないように定められる。特に、所定時間や所定温度は、素子温度が外気の温度を下回らないように定めることが好ましい。
【０１０５】
具体的には、照射継続期間として（Ｂ１）の期間を用いるケースでは、所定時間は時間Ｘである。照射継続期間として（Ｂ２）の期間を用いるケースでは、温度センサ３８１によって測定した温度から光学素子に当たる冷気温度を算出し、冷気温度が温度ｔ４を超えないように定められる。同様に、照射継続期間として（Ｂ３）の期間を用いるケースでは、温度センサ３８２によって測定した温度から光学素子に当たる冷気温度を算出し、冷気温度が温度ｔ４を超えないように定められる。
【０１０６】
（作用及び効果）
第１実施形態では、冷却装置３００（吸熱器３２０）は、動作開始指示を受けた場合に、空気流路３１０を流れる空気の冷却を開始する。光源制御部２２０は、動作開始指示を受けた場合に、所定電力よりも小さい電力を光源１０に供給するように、光源１０に供給される電力を制御する。従って、動作開始指示を受けてから通常動作状態に至るまでにおいて、冷却対象の光学素子の温度が許容温度範囲の上限を超えることを抑制することができる。
【０１０７】
第１実施形態では、光源制御部２２０は、光量低減期間において、所定電力よりも小さい電力を光源１０に供給するように、光源１０に供給される電力を制御する。光量低減期間は、（Ａ１）動作開始指示を受けてから所定時間が経過するまでの期間、（Ａ２）動作開始指示を受けてから、温度センサ３８１によって検出された温度が所定温度を下回るまでの期間、（Ａ３）動作開始指示を受けてから、温度センサ３８２によって検出された温度が所定温度を下回るまでの期間などである。従って、冷却対象の光学素子の温度が許容温度範囲の上限を超えることを抑制しながら、液晶パネル５０（すなわち、入射側偏光板５２）に所定光量の光を適切なタイミングで照射することができる。
【０１０８】
第１実施形態では、映像制御部２４０は、光量低減期間において、光源１０から出射された光の全てが出射側偏光板５５を透過するように液晶パネル５０を制御する。従って、光の遮光に起因する出射側偏光板５５の温度上昇を抑制することができる。
【０１０９】
第１実施形態では、映像制御部２４０は、光量低減期間において、他の色成分光に比べて光エネルギーが大きい青成分光のみが出射側偏光板５５Ｂを透過するように液晶パネル５０Ｂを制御する。光の遮光に起因する出射側偏光板５５Ｂのダメージを抑制することができる。
【０１１０】
第１実施形態では、冷却装置３００（冷却制御部２３０）は、動作終了指示を受けた場合に、空気流路３１０内を流れる空気の冷却を終了する。一方で、光源１０は、動作終了指示を受けた場合であっても、光の出射を継続する。これによれば、光源１０からの光により光学素子が加熱されるため、冷却対象の光学素子に当たる冷気温度が外気の温度に戻るまでの時間が短縮するとともに、素子温度の急激な低下が緩和される。従って、温度上昇量と冷気温度とのバランスが崩れることないため、素子温度が露点温度（温度ｔ４）を下回ることなく、光学素子に結露や霜の発生を抑制することが可能となる。
【０１１１】
第１実施形態では、光源制御部２２０は、照射継続期間において、所定電力よりも小さい電力を光源１０に供給するように、光源１０に供給される電力を制御する。照射継続期間は、（Ｂ１）動作終了指示を受けてから所定時間が経過するまでの期間、（Ｂ２）動作終了指示を受けてから、温度センサ３８１によって検出された温度（空気流路３１０内を流れる空気の温度）が所定温度に上昇するまでの期間、（Ｂ３）動作終了指示を受けてから、温度センサ３８２によって検出された温度（吸熱器３２０の温度）が所定温度に上昇するまでの期間などである。従って、照射継続期間において、素子温度が露点温度を下回ることなく、光学素子に結露が発生してしまうことが抑制される。
【０１１２】
第１実施形態では、光源制御部２２０は、動作終了指示を受けた場合に、所定光量よりも小さい光量の光が光学素子に照射されるように制御する。これによれば、光学素子の温度が許容温度範囲の上限を超えることを抑制することができるとともに、光源１０から出射される光量を少なくすることができる。従って、光量を制御するための特別な構成を必要とせずに、簡単な構成で光量を減少させることができ、かつランプの寿命を短くすることがない。
【０１１３】
第１実施形態では、冷却制御部２３０は、冷却装置３００の動作を終了しても、循環ファン３７０を制御して、空気流路３１０内を流れる空気を循環させる。従って、空気流路３１０内で温度が異なる場所ができずらくなり、空気流路３１０内の温度を均一に保つことができる。
【０１１４】
さらに、空気流路３１０内を流れる空気が循環することで、冷却装置３００の動作を終了しても、光源１０からの光により光学素子が加熱されるため、冷却対象の光学素子に当たる冷気温度が外気の温度に戻るまでの時間がさらに短縮する。
【０１１５】
［第２実施形態］
以下において、第２実施形態について、図面を参照しながら説明する。以下においては、第１実施形態と第２実施形態との相違点について主として説明する。
【０１１６】
具体的には、第１実施形態では、冷却対象の光学素子に照射される光量は、光源１０に供給される電力によって制御される。これに対して、第２実施形態では、冷却対象の光学素子に照射される光量は、遮光部材によって構成された光量絞り部によって制御される。
【０１１７】
（投写型映像表示装置の構成）
以下において、第２実施形態に係る投写型映像表示装置の構成について、図面を参照しながら説明する。図７は、第２実施形態に係る投写型映像表示装置１００を示す図である。図７では、図１と同様の構成について同様の符号を付している。
【０１１８】
図７に示すように、投写型映像表示装置１００は、図１に示した構成に加えて、光量絞り部７０を有する。
【０１１９】
光量絞り部７０は、光源１０と液晶パネル５０との間に設けられる。光量絞り部７０は、遮光部材によって構成される。光量絞り部７０は、光源１０から出射される光を遮光する量（絞り量）を変更可能に構成されている。光量絞り部７０は、例えば、シャッタなどによって構成される。これによって、光量絞り部７０は、液晶パネル５０（すなわち、入射側偏光板５２）に照射される光の光量を調整する。
【０１２０】
（制御ユニットの構成）
以下において、第２実施形態に係る制御ユニットの構成について、図面を参照しながら説明する。図８は、第２実施形態に係る制御ユニット２００を示すブロック図である。図８では、図４と同様の構成について同様の符号を付している。
【０１２１】
図８に示すように、制御ユニット２００は、光源制御部２２０に代えて、絞り量制御部２５０を有する。
【０１２２】
絞り量制御部２５０は、光量絞り部７０を制御する。具体的には、絞り量制御部２５０は、光源１０から出射される光を遮光する量（絞り量）を制御する。
【０１２３】
ここで、絞り量制御部２５０は、動作開始指示及び動作終了指示を受けた場合に、所定光量よりも小さい光量の光が液晶パネル５０（すなわち、入射側偏光板５２）に照射されるように、光量絞り部６０の絞り量を制御する。具体的には、絞り量制御部２５０は、光源１０から出射される光を所定絞り量よりも大きい絞り量で、光量絞り部６０の絞り量を制御する。なお、所定絞り量は、液晶パネル５０（すなわち、入射側偏光板５２）に所定光量の光が照射される絞り量である。また、所定絞り量は“０”であってもよい。
【０１２４】
光量絞り部６０の絞り量の制御方法としては、例えば、光源１０から出射される光の半分を遮光する方法、光源１０から出射される光の全てを遮光する方法などが考えられる。
【０１２５】
（作用及び効果）
第２実施形態では、冷却装置３００（吸熱器３２０）は、動作開始指示を受けた場合に、空気流路３１０を流れる空気の冷却を開始する。絞り量制御部２５０は、動作開始指示を受けた場合に、光源１０から出射される光を所定絞り量よりも大きい絞り量で、光量絞り部６０の絞り量を制御する。従って、第１実施形態と同様に、動作開始指示を受けてから通常動作状態に至るまでにおいて、冷却対象の光学素子の温度が許容温度範囲の上限を超えることを抑制することができる。
【０１２６】
第２実施形態では、絞り量制御部２５０は、動作終了指示を受けた場合に、光源１０から出射される光を所定絞り量よりも大きい絞り量で、光量絞り部７０の絞り量を制御する。従って、第１実施形態と同様に、照射継続期間（例えば、動作終了指示を受けてから所定時間が経過するまでの期間）において、冷却対象の光学素子の温度が許容温度範囲の上限を超えることを抑制することができる。
【０１２７】
［第３実施形態］
以下において、第３実施形態について、図面を参照しながら説明する。以下においては、第１実施形態と第３実施形態との相違点について主として説明する。
【０１２８】
具体的には、第１実施形態では、投写型映像表示装置１００は、単数の光源１０を有している。これに対して、第３実施形態では、投写型映像表示装置１００は、複数の光源１０を有している。
【０１２９】
（投写型映像表示装置の構成）
以下において、第３実施形態に係る投写型映像表示装置の構成について、図面を参照しながら説明する。図９は、第３実施形態に係る投写型映像表示装置１００を示す図である。図９では、図１と同様の構成について同様の符号を付している。
【０１３０】
図９に示すように、投写型映像表示装置１００は、複数の光源１０（光源１０ａ〜光源１０ｄ）を有する。また、投写型映像表示装置１００は、図１に示した構成に加えて、複数の反射ミラー１７０（反射ミラー１７０ａ〜反射ミラー１７０ｄ）を有する。
【０１３１】
光源１０ａ〜光源１０ｄは、上述した光源１０と同様に、白色光を発するＵＨＰランプなどである。反射ミラー１７０ａ〜反射ミラー１７０ｄは、それぞれ、光源１０ａ〜光源１０ｄから出射された光をフライアイレンズユニット３０側に反射する。
【０１３２】
図１０は、第３実施形態に係る光源１０ａ〜光源１０ｄの配置を示すイメージ図である。図１０では、反射ミラー１７０ａ〜反射ミラー１７０ｄで反射された際に、光源１０ａ〜光源１０ｄから出射された光の配置が示されている。図１０に示すように、光源１０ａ〜光源１０ｄから出射される光は、光軸中心の周囲に設けられる。
【０１３３】
ここで、上述した光源制御部２２０は、光量低減期間において、光源１０の点灯数を制御する。第３実施形態では、通常動作状態における所定光量は、光源１０ａ〜光源１０ｄの全てから出射される光の光量であることに留意すべきである。
【０１３４】
具体的には、光源制御部２２０は、動作開始指示を受けた場合に、複数の光源１０のうち、一部分の光源１０に対する電力の供給を開始して、他部分の光源１０に対する電力の供給の開始を留保する。すなわち、光源制御部２２０は、光量低減期間において、光源１０の点灯数を減少させる。例えば、光源制御部２２０は、光量低減期間において、２つの光源１０のみを点灯させて、他の光源１０の点灯を留保する。
【０１３５】
このように、光源制御部２２０は、一部分の光源１０から出射される光が他部分の光源１０から出射される光よりも時間的に遅延して、冷却対象の光学素子に照射されるように制御する。
【０１３６】
ここで、光量低減期間において点灯させる光源１０は、光軸中心に対して点対称であることが好ましい。例えば、光源制御部２２０は、光源１０ａ及び光源１０ｄを点灯させて、光源１０ｂ及び光源１０ｃの点灯を留保する。又は、光源制御部２２０は、光源１０ｂ及び光源１０ｃを点灯させて、光源１０ａ及び光源１０ｄの点灯を留保する。
【０１３７】
また、一部分の光源１０から出射される光量は、他部分の光源１０から出射される光量に対して対称的であることが好ましい。
【０１３８】
一方で、光源制御部２２０は、照射継続期間において、光源１０の点灯数を制御する。具体的には、光源制御部２２０は、動作終了指示を受けた場合に、複数の光源１０のうち、一部分の光源１０に対する電力の供給を終了して、他部分の光源１０に対する電力の供給を維持する。すなわち、光源制御部２２０は、照射継続期間において、光源１０の点灯数を減少させる。例えば、光源制御部２２０は、照射継続期間において、２つの光源１０のみを点灯させて、他の光源１０の点灯を留保する。
【０１３９】
このように、光源制御部２２０は、一部分の光源１０から出射される光が他部分の光源１０から出射される光よりも時間的に長くして、冷却対象の光学素子に照射されるように制御する。
【０１４０】
（作用及び効果）
第３実施形態によれば、光源制御部２２０は、動作開始指示を受けた場合に、複数の光源１０のうち、一部分の光源１０に対する電力の供給を開始して、他部分の光源１０に対する電力の供給の開始を留保する。従って、第１実施形態と同様に、動作開始指示を受けてから通常動作状態に至るまでにおいて、冷却対象の光学素子の温度が許容温度範囲の上限を超えることを抑制することができる。
【０１４１】
また、光量低減期間において点灯させる光源１０は、光軸中心に対して点対称である。従って、光量低減期間において、スクリーン上で生じる色むらを抑制することができる。
【０１４２】
第３実施形態によれば、光源制御部２２０は、動作終了指示を受けた場合に、複数の光源１０のうち、一部分の光源１０に対する電力の供給を終了して、他部分の光源１０に対する電力の供給を維持する。従って、第１実施形態と同様に、照射継続期間（例えば、動作終了指示を受けてから所定時間が経過するまでの期間）において、冷却対象の光学素子の温度が許容温度範囲の上限を超えることを抑制することができる。
【０１４３】
［第３実施形態の変形例］
以下において、第３実施形態の変形例について、図１１を参照しながら説明する。第３実施形態の変形例では、投写型映像表示装置１００は、複数の光源１０（光源１０ａ〜光源１０ｅ）を有する。図１１は、第３実施形態の変形例に係る光源１０ａ〜光源１０ｅの配置を示すイメージ図である。
【０１４４】
このようなケースにおいて、動作開始指示を受けた場合に、光源１０ａ〜光源１０ｅが点灯する順序としては、以下に示す順序が考えられる。なお、光源１０ａ〜光源１０ｅは、全て消灯していることに留意すべきである。
【０１４５】
（１）  ２段階で点灯するケース
第１段階として、光源制御部２２０は、光源１０ａ、光源１０ｄ及び光源１０ｅを点灯させる。第２段階として、光源制御部２２０は、光源１０ｂ及び光源１０ｃを点灯させる。
【０１４６】
又は、第１段階として、光源制御部２２０は、光源１０ｂ、光源１０ｃ及び光源１０ｅを点灯させる。第２段階として、光源制御部２２０は、光源１０ａ及び光源１０ｄを点灯させる。
【０１４７】
（２）  ３段階で点灯するケース
第１段階として、光源制御部２２０は、光源１０ｅを点灯させる。第２段階として、光源制御部２２０は、光源１０ａ及び光源１０ｄを点灯させる。第３段階として、光源制御部２２０は、光源１０ｂ及び光源１０ｃを点灯させる。
【０１４８】
又は、第1段階として、光源制御部２２０は、光源１０ｅを点灯させる。第２段階として、光源制御部２２０は、光源１０ｂ及び光源１０ｃを点灯させる。第３段階として、光源制御部２２０は、光源１０ａ及び光源１０ｄを点灯させる。
【０１４９】
なお、第１段階と第２段階とを入れ替えてもよく、第１段階と第３段階とを入れ替えてもよいことに留意すべきである。また、動作終了指示を受けた場合に、光源１０ａ〜光源１０ｅが消灯する順序としては、任意であることに留意すべきである。
【０１５０】
［第４実施形態］
以下において、第４実施形態について、図面を参照しながら説明する。第４実施形態は、第２実施形態と第３実施形態とを組み合わせた実施形態である。
【０１５１】
（投写型映像表示装置の構成）
以下において、第４実施形態に係る投写型映像表示装置の構成について、図面を参照しながら説明する。図１２は、第４実施形態に係る投写型映像表示装置１００を示す図である。なお、図１２では、図１、図６及び図８と同様の構成について同様の符号を付している。
【０１５２】
図１２に示すように、投写型映像表示装置１００は、複数の光量絞り部７０（光量絞り部７０ａ〜光量絞り部７０ｄ）を有する。
【０１５３】
光量絞り部７０ａ〜光量絞り部７０ｄは、それぞれ、光源１０ａ〜光源１０ｄの光出射側に設けられている。光量絞り部７０ａ〜光量絞り部７０ｄは、上述した光量絞り部７０と同様に、遮光部材によって構成される。光量絞り部７０ａ〜光量絞り部７０ｄは、それぞれ、光源１０ａ〜光源１０ｄから出射される光を遮光する量（絞り量）を変更可能に構成されている。
【０１５４】
ここで、上述した絞り量制御部２５０は、光量低減期間において、光量絞り部６０ａ〜光量絞り部６０ｄの絞り量を制御する。第４実施形態では、通常動作状態における所定光量は、光源１０ａ〜光源１０ｄの全てから出射される光の光量であることに留意すべきである。
【０１５５】
具体的には、絞り量制御部２５０は、動作開始指示を受けた場合に、複数の光源１０のうち、一部分の光源１０から出射される光を遮光せずに、他部分の光源１０から出射される光の全てを遮光する。すなわち、絞り量制御部２５０は、光量低減期間において、一部分の光源１０から出射される光のみを液晶パネル５０に到達させる。例えば、絞り量制御部２５０は、光量低減期間において、２つの光源１０から出射される光を液晶パネル５０に到達させ、他の光源１０から出射される光を液晶パネル５０に到達させない。
【０１５６】
光量低減期間において、液晶パネル５０に到達する光を出射する光源１０は、第３実施形態と同様に、光軸中心に対して点対称であることが好ましい。
【０１５７】
一方で、絞り量制御部２５０は、照射継続期間において、光量絞り部７０ａ〜光量絞り部７０ｄの絞り量を制御する。
【０１５８】
具体的には、絞り量制御部２５０は、動作終了指示を受けた場合に、複数の光源１０のうち、一部分の光源１０から出射される光を遮光せずに、他部分の光源１０から出射される光の全てを遮光する。すなわち、絞り量制御部２５０は、照射継続期間において、一部分の光源１０から出射される光のみを液晶パネル５０に到達させる。例えば、絞り量制御部２５０は、照射継続期間において、２つの光源１０から出射される光を液晶パネル５０に到達させ、他の光源１０から出射される光を液晶パネル５０に到達させない。
【０１５９】
（作用及び効果）
第４実施形態では、絞り量制御部２５０は、動作開始指示を受けた場合に、複数の光源１０のうち、一部分の光源１０から出射される光を遮光せずに、他部分の光源１０から出射される光の全てを遮光する。従って、第１実施形態と同様に、動作開始指示を受けてから通常動作状態に至るまでにおいて、冷却対象の光学素子の温度が許容温度範囲の上限を超えることを抑制することができる。
【０１６０】
また、光量低減期間において、液晶パネル５０に到達する光を出射する光源１０は、光軸中心に対して点対称である。従って、光量低減期間において、スクリーン上で生じる色むらを抑制することができる。
【０１６１】
第４実施形態では、絞り量制御部２５０は、動作終了指示を受けた場合に、複数の光源１０のうち、一部分の光源１０から出射される光を遮光せずに、他部分の光源１０から出射される光の全てを遮光する。従って、第１実施形態と同様に、照射継続期間（例えば、動作終了指示を受けてから所定時間が経過するまでの期間）において、冷却対象の光学素子の温度が許容温度範囲の上限を超えることを抑制することができる。
【０１６２】
［第５実施形態］
以下において、第５実施形態について、図面を参照しながら説明する。以下においては、第１実施形態と第５実施形態との相違点について説明する。
【０１６３】
具体的には、第１実施形態では、光源１０から出射される光は、偏光板（例えば、入射側偏光板５２や入射側プリ偏光板５３、出射側偏光板５５、出射側プリ偏光板５４）で遮光される。これに対して、第２実施形態では、光源１０から出射される光は、遮光部材によって構成された遮光シャッタ８０で遮光される。
【０１６４】
（投写型映像表示装置の構成）
以下において、第５実施形態に係る投写型映像表示装置の構成について、図面を参照しながら説明する。図１３は、第５実施形態に係るクロスダイクロイックプリズム６０近傍を示す拡大図である。なお、図１３では、図１と同様の構成について同様の符号を付している。
【０１６５】
図１３に示すように、投写型映像表示装置１００は、図２に示した構成に加えて、遮光シャッタ８０を有する。
【０１６６】
遮光シャッタ８０は、空気流路３１０内において、クロスダイクロイックプリズム６０と投写レンズユニットとの間に設けられる。遮光シャッタ８０は、クロスダイクロイックプリズム６０から出射される光を遮光する。
【０１６７】
なお、遮光シャッタ８０は、空気流路３１０内において、クロスダイクロイックプリズム６０と投写レンズユニットとの間に設けられているが、空気流路３１０外において、クロスダイクロイックプリズム６０と投写レンズユニットとの間に設けられていてもよい。
【０１６８】
（制御ユニットの構成）
以下において、第５実施形態に係る制御ユニットの構成について、図面を参照しながら説明する。図１４は、第２実施形態に係る制御ユニット２００を示すブロック図である。図１４では、図４と同様の構成について同様の符号を付している。
【０１６９】
図１４に示すように、制御ユニット２００は、シャッタ制御部２６０を有する。なお、映像制御部２４０（光学素子制御部）は、光源１０から出射された光が偏光板（例えば、出射側プリ偏光板５４及び出射側偏光板５５）を透過するように液晶パネル５０を制御する。
【０１７０】
シャッタ制御部２６０は、照射継続期間において、クロスダイクロイックプリズム６０（液晶パネル５０）から出射される光が遮光シャッタ８０で遮光するように遮光シャッタ８０を制御する。すなわち、遮光シャッタ８０は、動作終了指示を受けた場合に、クロスダイクロイックプリズム６０から出射される光を遮光する。
【０１７１】
（作用及び効果）
第５実施形態では、光源１０は、動作終了指示を受けた場合であっても、光の出射を継続する。光源１０から出射される光が、冷却対象の光学素子を透過して空気流路３１０内に設けられる遮光シャッタ８０で遮光される。これによれば、光源１０からの光により光学素子が加熱されるため、冷却対象の光学素子に当たる冷気温度が外気の温度に戻るまでの時間が短縮するとともに、素子温度の急激な低下が緩和される。従って、温度上昇量と冷気温度とのバランスが崩れることないため、素子温度が露点温度（温度ｔ４）を下回ることなく、光学素子に結露や霜の発生を抑制することが可能となる。
【０１７２】
第５実施形態では、遮光シャッタ８０は、空気流路３１０内において、クロスダイクロイックプリズム６０と投写レンズユニットとの間に設けられている。従って、光源１０から出射された光により遮光シャッタ８０が加熱されることに伴い、空気流路３１０内を流れる空気の温度（空気流路３１０内の温度）が外気の温度に戻るまでの時間が短縮する。
【０１７３】
第５実施形態では、クロスダイクロイックプリズム６０（液晶パネル５０）から出射される光が遮光シャッタ８０で遮光する。すなわち、動作終了指示後において、スクリーン上に光が投写されない。従って、投写型映像表示装置１００の動作が終了していないかのような印象をユーザに与えることがなくなる。
【０１７４】
［第６実施形態］
以下において、第５実施形態について、図面を参照しながら説明する。以下においては、第１実施形態と第５実施形態との相違点について説明する。
【０１７５】
第１実施形態では、光変調素子として液晶パネル５０が用いられ、冷却対象の光学素子は、液晶パネル５０、補償板５１、入射側偏光板５２、入射側プリ偏光板５３、出射側プリ偏光板５４及び出射側偏光板５５である。
【０１７６】
これに対して、第６実施形態では、光変調素子として２次元走査ミラーが用いられており、冷却対象の光学素子は、液晶パネル５０に代わりに２次元走査ミラーとなる。
【０１７７】
（投写型映像表示装置の構成）
以下において、第６実施形態に係る投写型映像表示装置の構成について、図面を参照しながら説明する。図１５は、第５実施形態に係る投写型映像表示装置１００を示す図である。
【０１７８】
図１５に示すように、投写型映像表示装置１００は、赤光源４１０Ｒと、緑光源４１０Ｇと、青光源４１０Ｂと、ダイクロイックミラー４２０と、ダイクロイックミラー４３０と、２次元走査ミラー４４０とを有する。
【０１７９】
赤光源４１０Ｒは、赤成分光を出射するレーザ光源である。緑光源４１０Ｇは、緑成分光を出射するレーザ光源である。青光源４１０Ｂは、青成分光を出射するレーザ光源である。
【０１８０】
ダイクロイックミラー４２０は、赤光源４１０Ｒから出射された赤成分光を透過し、緑光源４１０Ｇから出射された緑成分光を反射する。
【０１８１】
ダイクロイックミラー４３０は、ダイクロイックミラー４２０から出射された赤成分光及び緑成分光を透過し、青光源４１０Ｂから出射された青成分光を反射する。
【０１８２】
すなわち、ダイクロイックミラー４２０及びダイクロイックミラー４３０は、赤成分光、緑成分光及び青成分光を合成する。
【０１８３】
２次元走査ミラー４４０は、ダイクロイックミラー４３０から出射された合成光（映像光）をスクリーン４５０上において走査する。具体的には、２次元走査ミラー４４０は、スクリーン４５０上において合成光（映像光）をＢ方向（水平方向）に走査する動作（水平走査）を行う。また、２次元走査ミラー４４０は、Ｃ方向（垂直方向）に沿って水平走査を繰り返す。
【０１８４】
第６実施形態では、２次元走査ミラー４４０は、冷却装置３００に設けられた空気流路３１０内に設けられる。すなわち、２次元走査ミラー４４０は、冷却対象の光学素子である。
【０１８５】
［第７実施形態］
以下において、第６実施形態について、図面を参照しながら説明する。以下においては、第１実施形態と第６実施形態との相違点について説明する。
【０１８６】
第１実施形態では、光変調素子として液晶パネル５０が用いられており、冷却対象の光学素子は、液晶パネル５０、補償板５１、入射側偏光板５２、入射側プリ偏光板５３、出射側プリ偏光板５４及び出射側偏光板５５である。
【０１８７】
これに対して、第７実施形態では、光変調素子として１次元走査ミラーが用いられ、冷却対象の光学素子は、液晶パネル５０に代わりに１次元走査ミラーとなる。
【０１８８】
（投写型映像表示装置の構成）
以下において、第６実施形態に係る投写型映像表示装置の構成について、図面を参照しながら説明する。図１６は、第７実施形態に係る投写型映像表示装置１００を示す図である。
【０１８９】
図１６に示すように、投写型映像表示装置１００は、光源５１０と、レンズ５２０と、ライン状光学素子５３０と、レンズ５４０と、１次元走査ミラー５５０とを有する。
【０１９０】
光源５１０は、レーザ光を出射するレーザ光源である。レンズ５２０は、光源５１０から出射されたレーザ光をライン状光学素子５３０上に集光するレンズである。
【０１９１】
ライン状光学素子５３０は、ライン状の形状を有しており、光源５１０から出射されたレーザ光を変調する。レンズ５４０は、ライン状光学素子５３０から出射されたライン状の光を１次元走査ミラー５５０上に集光する。
【０１９２】
１次元走査ミラー５５０は、ライン状光学素子５３０から出射されたライン状の光をスクリーン５６０上において走査する。具体的には、１次元走査ミラー５５０は、スクリーン５６０上においてライン状の光をＤ方向（水平方向）に走査する。
【０１９３】
第７実施形態では、１次元走査ミラー５５０は、冷却装置３００に設けられた空気流路３１０内に設けられる。すなわち、１次元走査ミラー５５０は、冷却対象の光学素子である。
【０１９４】
なお、投写型映像表示装置１００は、赤、緑及び青のそれぞれについて、光源５１０〜１次元走査ミラー５５０を有していてもよい。このようなケースでは、スクリーン５６０上において各色成分光が重畳されて、スクリーン５６０上に映像が形成される。
【０１９５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１９６】
例えば、温度センサ３８２は、冷媒流路３６０内を流れる冷媒の温度を検出してもよい。照射継続期間は、動作終了指示を受けてから、温度センサ３８２によって検出された温度（冷媒の温度）が所定温度が上昇するまでの時間であってもよい。
【０１９７】
同様に、温度センサ３８２は、冷媒流路３６０内を流れる冷媒の温度を検出してもよい。光量低減期間は、動作開始指示を受けてから、温度センサ３８２によって検出された温度（冷媒の温度）が所定温度を下回るまでの期間であってもよい。
【０１９８】
上述した実施形態では、冷却装置３００は、吸熱器３２０、圧縮機３３０、放熱器３４０及び減圧器３５０などによって構成される。しかしながら、冷却装置３００の構成は、これに限定されるものではない。冷却装置３００は、空気流路３１０を流れる空気を冷却する冷却部としてペルチェ素子を有していてもよい。
【０１９９】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【０２００】
【図１】第１実施形態に係る投写型映像表示装置１００を示す図である。
【図２】第１実施形態に係る冷却装置３００を示す図である。
【図３】第１実施形態に係る冷媒について説明する図である。
【図４】第１実施形態に係る制御ユニット２００を示すブロック図である。
【図５】第１実施形態に係る光学素子の冷却開始を説明する図である。
【図６】第１実施形態に係る光学素子の冷却終了を説明する図である。
【図７】第２実施形態に係る投写型映像表示装置１００を示す図である。
【図８】第２実施形態に係る制御ユニット２００を示すブロック図である。
【図９】第３実施形態に係る投写型映像表示装置１００を示す図である。
【図１０】第３実施形態に係る光源１０の配置を示すイメージ図である。
【図１１】第３実施形態の変形例に係る光源１０の配置を示すイメージ図である。
【図１２】第４実施形態に係る投写型映像表示装置１００を示す図である。
【図１３】第５実施形態に係るクロスダイクロイックプリズム６０近傍を示す拡大図である。
【図１４】第５実施形態に係る制御ユニット２００を示すブロック図である。
【図１５】第６実施形態に係る投写型映像表示装置１００を示す図である。
【図１６】第７実施形態に係る投写型映像表示装置１００を示す図である。
【符号の説明】
【０２０１】
１０（１０ａ〜１０ｅ）…光源、２０…ＵＶ／ＩＲカットフィルタ、２１…ＵＶカットフィルタ、３０…フライアイレンズユニット、３０ａ，３０ｂ…フライアイレンズ、４０…ＰＢＳアレイ、５０…液晶パネル、５１補償板、５２…入射側偏光板、５３…入射側プリ偏光板、５４…出射側偏光板、５５…出射側プリ偏光板、６０…クロスダイクロイックプリズム、７０…光量絞り部、８０…遮光シャッタ、１００…投写型映像表示装置、１１１，１１２…ダイクロイックミラー、１２１〜１２３…反射ミラー、１３１〜１３３，１４０…コンデンサレンズ、１５１〜１５３…リレーレンズ、１６０…投写レンズユニット（投写光学系）、１７０…反射ミラー、２００…制御ユニット、２１０…操作受付部、２２０…光源制御部（光量制御部）、２３０…冷却制御部、２４０…映像制御部（光学素子制御部）、２５０…絞り量制御部、２６０…シャッタ制御部、３００…冷却装置、３１０…空気流路、３２０…吸熱器（冷却部）、３３０…圧縮機、３４０…放熱器、３５０…減圧器、３６０…冷媒流路、３７０…循環ファン（循環部）、３８１…温度センサ、３８２…温度センサ、４１０…光源、４２０，４３０…ダイクロイックミラー、４４０…２次元走査ミラー、４５０…スクリーン、５１０…光源、５２０…レンズ、５３０…ライン状光学素子、５４０…レンズ、５５０…１次元走査ミラー、５６０…スクリーン
【図１】
2009300947.tif 000003
【図２】
2009300947.tif 000004
【図３】
2009300947.tif 000005
【図４】
2009300947.tif 000006
【図５】
2009300947.tif 000007
【図６】
2009300947.tif 000008
【図７】
2009300947.tif 000009
【図８】
2009300947.tif 000010
【図９】
2009300947.tif 000011
【図１０】
2009300947.tif 000012
【図１１】
2009300947.tif 000013
【図１２】
2009300947.tif 000014
【図１３】
2009300947.tif 000015
【図１４】
2009300947.tif 000016
【図１５】
2009300947.tif 000017
【図１６】
2009300947.tif 000018